(57)【要約】      （修正有）【課題】冷凍装置のエネルギー消耗を抑えることができる二回乾燥型乾燥装置を提供する。【解決手段】乾燥装置１０に本体１と、本体１につながる第１熱交換器２と第２熱交換器３を備え、乾燥装置１０を冷凍装置４と空気乾燥装置５につなげて、外部空気を第１熱交換器２に導入し、冷凍装置４によって温度を引き下げて空気の水分を凝集したうえ、再び空気乾燥装置５を介して二回の乾燥を行う。乾燥後の低温空気を最後に第２熱交換器３から送り出す、外部空気を第２熱交換器３に導入されるときには、冷凍装置４のエネルギー消費を軽減するために、あらかじめ温度を下げてから再び第１熱交換器２に送る。このように、二回の乾燥によって、乾燥後の空気の水分含量が大幅に下げられる。【選択図】図３
0003212456.tif 000002
【実用新案登録請求の範囲】
【請求項１】
二回乾燥型乾燥装置であって、
液体気体分離区域を内設しており、前記液体気体分離区域に連絡していて、前記空気乾燥装置の低温乾燥空気出口と連絡する本体と、
前記本体の側面に設けられ、一次側と二次側を有し、前記一次側が冷凍装置に連絡する冷凍液入り口と冷凍液出口を設け、前記二次側に冷凍空気入り口と冷凍空気出口を設けていて、かつ、前記冷凍空気出口が前記本体の前記液体気体分離区域に連絡する第１熱交換器と、
前記本体の側面に設けられ、前記一次側と前記二次側を有し、前記一次側に外部空気を導入するための空気入力側と空気出力側を設けていて、かつ、前記空気出力側が前記第１熱交換器の前記冷凍空気入り口に連絡しており、前記二次側に前記空気乾燥装置につなげるための低温乾燥空気入り口と、乾燥空気を送り出す乾燥空気出口を設ける第２熱交換器と、を備えることを特徴とする、二回乾燥型乾燥装置。
【請求項２】
前記乾燥装置の前記本体に連絡パイプを内設しており、前記連絡パイプの両側をそれぞれ連絡前記第１熱交換器の前記冷凍空気入り口と、前記第２熱交換器の前記空気出力側に連絡することを特徴とする、請求項１記載の二回乾燥型乾燥装置。
【請求項３】
前記本体の前記液体気体分離区域に水分の通過を抑制するための隔離素子を設けることを特徴とする、請求項１記載の二回乾燥型乾燥装置。
【請求項４】
前記冷凍装置にコンデンサーを有し、前記コンデンサーが膨張弁とコンプレッサーに連絡しており、前記膨張弁が前記第１熱交換器の前記冷凍液入り口に連絡し、前記コンプレッサーを前記第１熱交換器の前記冷凍液出口に連絡することを特徴とする、請求項１記載の二回乾燥型乾燥装置。
【請求項５】
前記空気乾燥装置は、例えば、吸収式乾燥装置であることを特徴とする、請求項１記載の二回乾燥型乾燥装置。
【請求項６】
前記空気乾燥装置は、例えば、吸着式乾燥装置であることを特徴とする、請求項１記載の二回乾燥型乾燥装置。
【請求項７】
前記空気乾燥装置は、例えば、冷凍式乾燥装置であることを特徴とする、請求項１記載の二回乾燥型乾燥装置。
【考案の詳細な説明】
【技術分野】
【０００１】
本考案は二回乾燥型乾燥装置に関し、特に冷凍装置と、空気乾燥装置に接続する乾燥装置が外部空気を二回乾燥により、空気中の水分を取り除き、乾燥装置によって乾燥された空気を利用し、外部空気と熱交換し、外部空気の温度を下げさせて、冷凍装置のエネルギー消耗を軽減する二回乾燥型乾燥装置に関する。
【背景技術】
【０００２】
産業において、圧縮空気がよく使用されている。コンプレッサーの圧送空気に大量な水分を含有しており、下流側設備が損傷又は故障する恐れがある。公知のコンプレッサーは出口側に冷凍装置を連絡され、冷凍装置を介して空気温度を下げることによって空気の水分を凝縮し、空気の水分（湿度）を減らす。しかしながら、冷凍装置が稼働するときに、空気温度を大きく引き下げなければならず、よって、大量な電気を消費してしまう。さらに一部の設備には、より乾燥した空気を必要とするため、冷凍装置だけでは、不足である。
【考案の概要】
【課題を解決するための手段】
【０００３】
本考案の主な目的は、乾燥装置を冷凍装置と、空気乾燥装置につないで、空気を二回に乾燥し、乾燥後の空気の含水量が大幅に下げられるとともに、冷凍装置で温度を下げた空気を外部空気と熱交換し、外部空気の温度を下げさせて、冷凍装置のエネルギー消耗を抑えることができる。
【０００４】
前述の目的を達成するために、本考案の二回乾燥型乾燥装置は、本体と第１熱交換器と第２熱交換器を備える。本体の内部に液体と気体の分離区域を設け、本体が液体気体分離区域につなぐ、空気乾燥装置の低温乾燥空気出口に連絡する。第１熱交換器が一次側と二次側とを含み、一次側を冷凍装置の冷凍液入り口と冷凍液出口につなぎ、二次側に冷凍空気入り口と冷凍空気出口を設け、冷凍空気出口が本体の液体気体分離区域に連絡し、第２熱交換器を本体が第１熱交換器の他側につなぎ、第２熱交換器が一次側と二次側を有し、一次側に外部空気を導入する空気入力側と空気出力側を設け、空気出力側を第１熱交換器の冷凍空気入り口に連絡し、二次側に空気乾燥装置につなげるための低温乾燥空気入り口と、乾燥空気を送り出す乾燥空気出口をそれぞれ設ける。
【図面の簡単な説明】
【０００５】
【図１】本考案によるブロック図である。
【図２】本考案による立体分解図である。
【図３】本考案による立体分解態様図である。
【考案を実施するための形態】
【実施例】
【０００６】
図１ないし図３を参照する。図から明らかになるように、本考案による乾燥装置１０に、本体１と、本体１の両側に、それぞれ第１熱交換器２と第２熱交換器３がつながっている。そのうち、
【０００７】
本体１の内部に液体気体分離区域１１を設けており、本体１には液体気体分離区域１１に連絡する低温空気出口１２と水ドレン１５を設ける。さらに、本体１は、液体気体分離区域１１に連絡パイプ１３と網状の隔離素子１４を設けている。
【０００８】
第１熱交換器２が一次側２１と二次側２２とを有し、一次側２１に冷凍液入り口２１１と冷凍液出口２１２を設け、二次側２２に冷凍空気入口２２１と冷凍空気出口２２２と、を設け、冷凍空気入口２２１を本体１の連絡パイプ１３に連絡し、冷凍空気出口２２２を本体１の液体気体分離区域１１１に連絡する。
【０００９】
第２熱交換器３に一次側３１と二次側３２を有し、一次側３１に空気入り口３１１と空気出口３１２を設け、二次側３２に低温乾燥空気入口３２１と低温乾燥空気出口３２２を設け、低温乾燥空気入口３１２と本体２の連絡パイプ１３に連絡し、低温乾燥空気出口３１２と第１熱交換器２の冷凍空気入り口２２１との連絡状態を形成する。
【００１０】
以上の単純構成により、本考案の乾燥装置１０を使用するときは、第１熱交換器２の冷凍液入り口２１１と冷凍液出口２１２を冷凍装置４につなぎ、冷凍装置４にコンデンサー４１を有し、コンデンサー４１が膨張弁４２とコンプレッサー４３につなぎ、膨張弁４２を冷凍液入り口２１１につなぐ。コンプレッサー４３を冷凍液出口２１２につなぎ、本体１の低温乾燥空気出口１２と第２熱交換器３の低温乾燥空気入り口３２１とを空気乾燥装置５につなげる。空気乾燥装置５は、例えば、吸収式乾燥装置、吸着式乾燥装置または冷凍式乾燥装置のいずれかを使用しても良い。
【００１１】
外部空気が第２熱交換器３の空気入力側３１１より第２熱交換器３に導入された後は、空気出力側３１２と、本体１の連絡パイプ１３を経て、第１熱交換器２の冷凍空気入り口２２１より第１熱交換器２に導入される。このとき、冷凍装置４によって、冷凍液を冷凍液入り口２１１より導入し、冷凍液出口２１２から回収することにより、第１熱交換器２と外部空気との熱交換が行われる。外部空気の温度を下げさせたうえ、再び冷凍空気出口２２２より本体１の液体気体分離区域１１に導入し、空気中の水分を凝集したうえ、液体気体分離区域１１に滞留させ、隔離素子１４を用いて凝集水分の通過を抑制する。一方、温度を下げられた空気が本体１の低温乾燥空気出口１２から、空気乾燥装置５に導入され、再び乾燥させた後、空気乾燥装置５を介して乾燥後の空気を第２熱交換器３の低温乾燥空気入り口３２１より第２熱交換器３に導入する。このとき、第２熱交換器３に導入された乾燥空気の温度が外部空気温度より低いため、第２熱交換器３によって外部空気と熱交換が行われ、外部空気の温度を引き下げて、熱交換した低温の乾燥空気を第２熱交換器３の乾燥空気出口３２２より排出される。
【符号の説明】
【００１２】
１０    乾燥装置
１      本体
１１    液体気体分離区域
１２    低温乾燥空気出口
１３    連絡パイプ
１４    隔離素子
１５    水ドレン
２      第１熱交換器
２１    一次側
２１１  冷凍液入り口
２１２  冷凍液出口
２２    二次側
２２１  冷凍空気入り口
２２２  冷凍空気出口
３      第２熱交換器
３１    一次側
３１１  空気入力側
３１２  空気出力側
３２    二次側
３２１  温乾燥空気入り口
３２２  乾燥空気出口
４      冷凍装置
４１    コンデンサー
４２    膨張弁
４３    コンプレッサー
５      空気乾燥装置
【図１】
0003212456.tif 000003
【図２】
0003212456.tif 000004
【図３】
0003212456.tif 000005
【手続補正書】
【提出日】平成29年7月12日(2017.7.12)
【手続補正１】
【補正対象書類名】実用新案登録請求の範囲
【補正対象項目名】全文
【補正方法】変更
【補正の内容】
【実用新案登録請求の範囲】
【請求項１】
二回乾燥型乾燥装置であって、
液体気体分離区域を内設しており、前記液体気体分離区域に連絡していて、空気乾燥装置の低温乾燥空気出口と連絡する本体と、
前記本体の側面に設けられ、一次側と二次側を有し、前記一次側が冷凍装置に連絡する冷凍液入り口と冷凍液出口を設け、前記二次側に冷凍空気入り口と冷凍空気出口を設けていて、かつ、前記冷凍空気出口が前記本体の前記液体気体分離区域に連絡する第１熱交換器と、
前記本体の側面に設けられ、前記一次側と前記二次側を有し、前記一次側に外部空気を導入するための空気入力側と空気出力側を設けていて、かつ、前記空気出力側が前記第１熱交換器の前記冷凍空気入り口に連絡しており、前記二次側に前記空気乾燥装置につなげるための低温乾燥空気入り口と、乾燥空気を送り出す乾燥空気出口を設ける第２熱交換器と、を備えることを特徴とする、二回乾燥型乾燥装置。
【請求項２】
前記乾燥装置の前記本体に連絡パイプを内設しており、前記連絡パイプの両側を、それぞれ、前記第１熱交換器の前記冷凍空気入り口と、前記第２熱交換器の前記空気出力側に連絡することを特徴とする、請求項１記載の二回乾燥型乾燥装置。
【請求項３】
前記本体の前記液体気体分離区域に水分の通過を抑制するための隔離素子を設けることを特徴とする、請求項１記載の二回乾燥型乾燥装置。
【請求項４】
前記冷凍装置にコンデンサーを有し、前記コンデンサーが膨張弁とコンプレッサーに連絡しており、前記膨張弁が前記第１熱交換器の前記冷凍液入り口に連絡し、前記コンプレッサーを前記第１熱交換器の前記冷凍液出口に連絡することを特徴とする、請求項１記載の二回乾燥型乾燥装置。
【請求項５】
前記空気乾燥装置は、吸収式乾燥装置であることを特徴とする、請求項１記載の二回乾燥型乾燥装置。
【請求項６】
前記空気乾燥装置は、吸着式乾燥装置であることを特徴とする、請求項１記載の二回乾燥型乾燥装置。
【請求項７】
前記空気乾燥装置は、冷凍式乾燥装置であることを特徴とする、請求項１記載の二回乾燥型乾燥装置。